(57)【要約】【課題】身体の前傾姿勢を支持して腰の負担を軽減する身体の支持装置を提供する。【解決手段】支持装置１０は、枠組みされたフレーム１と、フレーム１の内部に配置された椅子２を備える。フレーム１は、前面が開放され、床面Ｆに設置できる。椅子２は、着座者Ｍが着座して、着座者Ｍがフレーム１の前面側に前傾できる。支持装置１０は、フレーム１に連結された肩当て部３と腹当て部４を備える。肩当て部３は、着座者Ｍの前傾姿勢の肩部を支持できる。腹当て部４は、着座者Ｍの前傾姿勢の腹部を支持できる。肩当て部３は、紐体１４と棒状の弾性体３０で構成している。腹当て部４は、帯状の弾性体４２を有している。【選択図】図１
2011078480.tif 000002
【特許請求の範囲】
【請求項１】
少なくとも前面が開放されて床面に設置可能な枠組みされたフレームと、
このフレームの内部に配置され、着座者が着座して当該フレームの前面側に前傾可能な椅子と、
前記フレームに連結して前記着座者の前傾姿勢の肩部を支持する肩当て部と、
前記フレームに連結して前記着座者の前傾姿勢の腹部を支持する腹当て部と、を備える身体の支持装置。
【請求項２】
前記肩当て部は、前記フレームの上部から懸架される紐体と、この紐体の両端に係止される棒状の弾性体と、を含んでいる請求項１記載の身体の支持装置。
【請求項３】
前記腹当て部は、その両端が前記フレームの前面の両翼に取り付けられる帯状の弾性体を含んでいる請求項１又は２記載の身体の支持装置。
【請求項４】
前記椅子は、着座部と、この着座部の前方の下部に配置され、腿と脛が屈折するように傾斜して当該脛が着座する中間着座部と、この中間着座部の上面の中央部に突出し、両膝で挟持可能な膝当て部と、を有する請求項１から３のいずれかに記載の身体の支持装置。
【請求項５】
前記腹当て部は、作業台の前面に設けた第１磁性体に反発する第２磁性体を有する請求項１から４のいずれかに記載の身体の支持装置。
【発明の詳細な説明】
【技術分野】
【０００１】
本発明は、身体の支持装置に関する。特に、身体の前傾姿勢を支持して腰の負担を軽減する装置の構造に関する。
【背景技術】
【０００２】
一般に、洗面台に設けた蛇口及び洗面ボウルは、成人の腰部より低く設定されている。したがって、手を洗うときなどには、使用者は、腰を屈める前傾姿勢を維持する必要がある。しかし、このような前傾姿勢を維持し続けることは、足や腰に負担がかかることから、洗面台を楽な姿勢で使用できる洗面用補助具が開示されている（例えば、特許文献１参照）。
【０００３】
特許文献１による洗面用補助具は、ギア部を介して、洗面台の前面下側に取り付けられ、膝を寄り掛からせることのできる膝置き部を備えている。そして、膝置き部は、膝を寄り掛からせる使用位置と、上方に退避させる退避位置との間を変位可能に構成している。特許文献１による洗面用補助具は、手を洗うときに、膝置き部に膝を寄り掛からせることにより、足や腰にかかる負担を軽減できる、としている。
【０００４】
又、立ち姿勢を保持し、長時間作業しても足腰にかかる負担を軽減することができ、利便性に優れた流し台が開示されている（例えば、特許文献２参照）。
【０００５】
特許文献２による流し台は、水平な棒状体を流し台の天板の前面に配設している。この棒状体は、水平な底面と共に、正面と背面には対向する直立面を有し、この内の正面側の直立面は底面より全高の略半分の高さまで形成され、かつこの正面側直立面から頂面にかけてゆるやかな湾曲面を形成している。
【０００６】
特許文献２による流し台は、棒状体が調理作業を行う流し台の使用者と十分な接触が得られ、水平棒状体はもたれ易いものとなっている。したがって、立ち姿勢を保持することができる、としている。
【先行技術文献】
【特許文献】
【０００７】
【特許文献１】特開２０００−１８４９７３号公報
【特許文献２】特開平７−２０４０３８号公報
【発明の概要】
【発明が解決しようとする課題】
【０００８】
しかしながら、特許文献１による洗面用補助具、及び特許文献２による流し台は、個別の設備に足腰の負担対策が施されている。既存の洗面台又は既存の流し台に対応でき、足腰の負担を軽減できる装置が実現できれば、生活する上で便利である。
【０００９】
洗面台で手を洗うときに、椅子を使用すれば、膝及び足首の関節への負担が軽減される。同様に、流し台で作業するときに、椅子を使用すれば、膝及び足首の関節への負担が軽減される。しかし、これらの設備を使用するときには、前傾姿勢を維持する必要があるので、依然として腰に負担がかかるという問題がある。
【００１０】
椅子に座りながら身体の前傾姿勢を支持する装置が実現できれば、新たな設備を購入又は既存の設備を大改造することがなく、経済的であり、腰部へ負担が軽減されて便利である。そして、以上のことが本発明の課題といってよい。
【００１１】
本発明は、このような課題に鑑みてなされたものであり、身体の前傾姿勢を支持して腰の負担を軽減する身体の支持装置を提供することを目的とする。
【課題を解決するための手段】
【００１２】
本発明者らは、枠組みされたフレームの内部に椅子を配置し、着座者の前傾姿勢を支持する支持手段をこのフレームに設けることにより、この課題が解決可能なことを見出し、これに基づいて、以下のような新たな身体の支持装置を発明するに至った。
【００１３】
（１）本発明による身体の支持装置は、少なくとも前面が開放されて床面に設置可能な枠組みされたフレームと、このフレームの内部に配置され、着座者が着座して当該フレームの前面側に前傾可能な椅子と、を備え、前記フレームは、前記着座者の前傾姿勢の肩部を支持する肩当て部と、前記着座者の前傾姿勢の腹部を支持する腹当て部と、を有する。
【００１４】
（２）前記肩当て部は、前記フレームの上部から紐体で懸架される棒状の弾性体を含んでいることが好ましい。
【００１５】
（３）前記腹当て部は、その両端が前記フレームの前面の両翼に取り付けられる帯状の弾性体を含んでいることが好ましい。
【００１６】
（４）前記椅子は、着座部の前方の下部に配置され、腿と脛が屈折するように傾斜して当該脛が着座する中間着座部と、この中間着座部の上面の中央部に突出し、両膝で挟持可能な膝当て部と、を有することが好ましい。
【００１７】
（５）前記腹当て部は、作業台の前面に設けた第１磁性体に反発する第２磁性体を有することが好ましい。
【発明の効果】
【００１８】
本発明による身体の支持装置は、フレームの内部に椅子を配置し、着座者が前傾すると、着座者の肩部及び腹部を支持する肩当て部及び腹当て部をフレームに設けているので、椅子に座りながら着座者の前傾姿勢を維持できる。したがって、腰部へ負担が軽減されて便利である。
【図面の簡単な説明】
【００１９】
【図１】本発明の一実施形態による身体の支持装置の構成を示す斜視図である。
【図２】前記実施形態による身体の支持装置の右側面図である。
【図３】前記実施形態による身体の支持装置の正面図である。
【発明を実施するための形態】
【００２０】
以下、図面を参照して本発明を実施するための形態を説明する。最初に、本発明の一実施形態による身体の支持装置の構成を説明する。図１は、本発明の一実施形態による身体の支持装置の構成を示す斜視図である。図２は、前記実施形態による身体の支持装置の右側面図である。図３は、前記実施形態による身体の支持装置の正面図である。
【００２１】
図１から図３を参照すると、本発明の一実施形態による身体の支持装置（以下、支持装置と略称する）１０は、枠組みされたフレーム１と、フレーム１の内部に配置された椅子２を備えている。フレーム１は、前面が開放されている。又、フレーム１は、床面Ｆに設置できる。椅子２は、着座者Ｍが着座して、フレーム１の前面側に前傾できる。
【００２２】
又、支持装置１０は、フレーム１に連結された肩当て部３と腹当て部４を備えている。肩当て部３は、着座者Ｍの両脇が挟まれることにより、着座者Ｍの前傾姿勢の肩部を支持することができる。腹当て部４は、着座者Ｍの前傾姿勢の腹部を支持することができる。
【００２３】
フレーム１は、複数のパイプ部材が枠組みされて骨格を形成している。フレーム１は、Ｕ字状に屈折された下部フレーム１１と上部フレーム１２を有している。下部フレーム１１は、フロントパイプ１１ａと、フロントパイプ１１ａの両端部が屈折されて略平行に延びる一対のサイドパイプ１１ｂ・１１ｃを有している。一対のサイドパイプ１１ｂ・１１ｃには、一対の車輪１ｗ・１ｗが一組に配置されている。一対一組の車輪１ｗ・１ｗは、床面Ｆを転動できる。
【００２４】
一対のサイドパイプ１１ｂ・１１ｃの前部には、一対のＬ字状のアーム１ｄ・１ｅが立脚している。一対のサイドパイプ１１ｂ・１１ｃの後部には、一対のスタンド１ｆ・１ｇが立脚している。アーム１ｄは、縦パイプｄ１と横パイプｄ２で構成している。同様に、アーム１ｅは、縦パイプｅ１と横パイプｅ２で構成している。
【００２５】
一対の縦パイプｄ１・ｅ１の端部は、一対のサイドパイプ１１ｂ・１１ｃに接合されている。一対の横パイプｄ２・ｅ２の端部は、一対のスタンド１ｆ・１ｇの上方に接合されている。
【００２６】
一対のスタンド１ｆ・１ｇの上方は、リヤパイプ１ｈが連結されている。一対のスタンド１ｆ・１ｇには、一対の可動アーム１ｊ・１ｋが連結している。一対の可動アーム１ｊ・１ｋには、Ｕ字状に屈折された上部フレーム１２が結合している。
【００２７】
上部フレーム１２は、アッパーパイプ１２ａと、アッパーパイプ１２ａの両端部が屈折されて略平行に延びる一対のサイドパイプ１２ｂ・１２ｃを有している。一対のサイドパイプ１２ｂ・１２ｃの上部は、前方に傾斜している。
【００２８】
一対のスタンド１ｆ・１ｇの上部には、一組の止めねじ１ｓ・１ｓが螺合している。一組の止めねじ１ｓ・１ｓを緩めると、上部フレーム１２を昇降できる。一組の止めねじ１ｓ・１ｓを締めると、上部フレーム１２を所定の高さに固定できる。
【００２９】
上部フレーム１２には、アッパーパイプ１２ａと揺動可能にプーリ１３が吊り下げられている。プーリ１３には、紐体１４が巻掛けされている。紐体１４の両端は、棒状の弾性体３０の両端に係止している。
【００３０】
肩当て部３は、フレーム１の上部から懸架される紐体１４と、比較的硬質のゴム体からなる棒状の弾性体３０で構成している。そして、肩当て部３は、着座者Ｍの両脇が挟まれることにより、着座者Ｍの前傾姿勢の肩部を弾性的に支持することができる。
【００３１】
腹当て部４は、伸縮自在な帯布４１と、帯布４１の中央部に貼着された、比較的軟質のゴム体からなる帯状の弾性体４２と、で構成されている。帯布４１の両端部は、一対の縦パイプｄ１・ｅ１に巻回して張架している。そして、腹当て部４は、着座者Ｍの前傾姿勢の腹部を弾性的に支持することができる。
【００３２】
弾性体４２は、複数の円板状の第２磁性体６を内蔵している。第２磁性体６は、洗面台や流し台などの作業台（図示せず）の前面に設けた第１磁性体（図示せず）に反発するように、その極性を配列している。なお、弾性体４２を第１磁性体に反発するゴム磁石で構成してもよい。
【００３３】
図１から図３を参照すると、椅子２は、着座部２１、中間着座部２２、及び膝当て部２３を有している。中間着座部２２は、着座部２１の前方の下部に配置されている。中間着座部２２は、着座者Ｍの腿と脛が屈折するように傾斜して、着座者Ｍの脛が着座できる。膝当て部２３は、中間着座部２２の上面の中央部に突出し、着座者Ｍの両膝で挟持することができる。
【００３４】
椅子２は、一対の第１傾斜脚２１ａ・２１ａと一対の第２傾斜脚２２ａ・２２ａを有している。第１傾斜脚２１ａの一端部は、着座部２１の底面に固定されている。第１傾斜脚２１ａの他端部は、フロントパイプ１１ａに着脱自在に係止している。
【００３５】
第２傾斜脚２２ａの一端部は、アングル部材２２ｂを介して中間着座部２２の底面に固定されている。第２傾斜脚２２ａの他端部は、床面Ｆに転動するキャスタ２２ｃを取付けている。
【００３６】
第１傾斜脚２１ａと第２傾斜脚２２ａとは、互いに回動できるように、長尺のボルト２４で軸止されている。一対の第２傾斜脚２２ａ・２２ａの間には、一対の第１傾斜脚２１ａ・２１ａが当接する停止部材２２ｄを設けており、第１傾斜脚２１ａと第２傾斜脚２２ａとを所定の開き角度に設定できる。
【００３７】
一対の第１傾斜脚２１ａ・２１ａには、その長手方向に沿って、ボルト２４の軸部が挿入可能な複数の軸穴２１１を設けている。そして、ボルト２４を挿入する軸穴２１１を変えることにより、第１傾斜脚２１ａと第２傾斜脚２２ａとの開き角度を調整できる。
【００３８】
次に、本発明の実施形態による支持装置１０の作用及び効果を説明する。
【００３９】
図１から図３を参照すると、支持装置１０は、フレーム１の内部に椅子２を配置し、着座者Ｍが前傾すると、着座者Ｍの肩部及び腹部を支持する肩当て部３及び腹当て部４をフレーム１に設けているので、前傾姿勢の荷重（体重）が肩当て部３及び腹当て部４に分散される。したがって、椅子２に座りながら着座者Ｍの前傾姿勢を維持できる。本発明の実施形態による支持装置１０は、腰部へ負担が軽減されて便利である。
【００４０】
又、本発明の実施形態による椅子２は、前傾姿勢に抗する中間着座部２２を有し、中間着座部２２の上面の中央部に突出した膝当て部２３を着座者Ｍの両膝で挟持することにより、肩当て部３及び腹当て部４に加え、前傾姿勢の荷重（体重）が更に分散される。本発明の実施形態による支持装置１０は、腰部へ負担が更に軽減されて便利である。
【００４１】
更に、本発明の実施形態による支持装置１０は、肩当て部３の両端に係止する紐体１４がプーリ１３に巻掛けされているので、一方の肩を前進させ、他方の肩を後退させる進退運動、又は一方の肩を上げ、他方の肩を下げる上下運動に肩当て部３が追従するので、便利である。
【００４２】
本発明の実施形態による支持装置１０は、腹当て部４が作業台の前面に設けた第１磁性体（図示せず）に反発する第２磁性体６を有するので、腹当て部４の復元力に加担するように、前傾姿勢を支持することができる。
【００４３】
本発明の実施形態による支持装置１０は、一組の止めねじ１ｓ・１ｓを操作することにより、上部フレーム１２を昇降できるので、上部フレーム１２に懸架される肩当て部３の高さを調整することができる。又、腹当て部４は、一対の縦パイプｄ１・ｅ１に沿って移動でき、その高さを調整することができる。
【００４４】
本発明の実施形態による支持装置１０は、フレーム１及び椅子２が組立又は分解が容易に構成されているので、収納が容易であり、搬送も便利である。
【００４５】
本発明の実施形態による支持装置１０は、実施形態による椅子２を使用することが好ましいが、フレーム１の内部に配置される椅子は、実施形態に限定されない。既存の椅子（一般的な椅子）を利用することもでき、この椅子に座りながら身体の前傾姿勢を支持することができる。
【００４６】
本発明の実施形態による支持装置１０は、床面Ｆを移動可能に構成しており、既存の洗面台又は既存の流し台に対応でき、足腰の負担を軽減できるので、生活する上で便利である。
【００４７】
本発明による支持装置は、実施形態に限定されない。本発明の技術的思想を応用した支持装置は、全て本発明に含まれる。例えば、フレーム１は、実施形態に限定されない。少なくとも前面が開放されて床面に設置可能な枠組みされた公知のフレームが応用可能である。
【符号の説明】
【００４８】
１  フレーム
２  椅子
３  肩当て部
４  腹当て部
Ｆ  床面
Ｍ  着座者
【図１】
2011078480.tif 000003
【図２】
2011078480.tif 000004
【図３】
2011078480.tif 000005